(57)【要約】【課題】転院先の医療機関を探す手間を軽減可能な転院支援システムを提供する。【解決手段】転院支援システムは、１または複数の転院元医療機関Ｘ１、Ｘ２、Ｘ３の各々で用いられる１または複数の転院元医療機関用情報端末Ａ１、Ａ２、Ａ３、複数の転院先候補医療機関Ｙ１、Ｙ２、Ｙ３の各々で用いられる複数の転院先候補医療機関用情報端末Ｂ１、Ｂ２、Ｂ３、１または複数の転院元医療機関Ｘ１、Ｘ２、Ｘ３の各々で用いられる１または複数の電子カルテ装置ＥＫ１、ＥＫ２、ＥＫ３、各転院元医療機関用情報端末Ａ１、Ａ２、Ａ３、転院先候補医療機関用情報端末Ｂ１、Ｂ２、Ｂ３、および各電子カルテ装置ＥＫ１、ＥＫ２、ＥＫ３とネットワーク１０を介して接続された転院支援装置Ｚを含む。【選択図】図１
2018116652.tif 000002
【特許請求の範囲】
【請求項１】
１または複数の転院元医療機関の各々で用いられる１または複数の転院元医療機関用情報端末、複数の転院先候補医療機関の各々で用いられる複数の転院先候補医療機関用情報端末、１または複数の転院元医療機関の各々で用いられる１または複数の電子カルテ装置、各転院元医療機関用情報端末、転院先候補医療機関用情報端末、および各電子カルテ装置とネットワークを介して接続された転院支援装置を含み、
各電子カルテ装置は、複数の患者毎に施設内患者識別情報に対応付けた氏名、生年月日、性別、症状、診療科、かかりつけ医、およびかかりつけ医療機関のうち少なくとも一つを含む患者情報を記憶し、外部からの読み出し要求に応じて記憶手段から患者情報を読み出し送信可能に構成されており、
転院元医療機関用情報端末は、
転院希望患者の施設内患者識別情報入力を含む転院希望患者の新規登録画面要求操作、および転院先候補医療機関用情報端末で登録された受け入れ回答情報の閲覧操作を含む各種操作を行なう操作手段と、
転院希望患者の新規登録画面の表示、および受け入れ回答情報の表示を含む各種表示を行なう表示手段と、
転院希望患者の施設内患者識別情報入力を含む新規登録画面要求操作に従う転院支援装置に対する新規登録画面要求、氏名、性別、年齢、症状、診療科、かかりつけ医、および転院希望日のうち少なくとも症状と転院希望日とを含む転院希望患者情報の登録操作に従う転院支援装置に対する登録要求、ならびに転院先候補医療機関の受け入れ回答情報の閲覧操作に従う転院支援装置に対する受け入れ回答情報の閲覧要求および返信された受け入れ回答情報の表示手段への表示を行なう処理手段と、
を含み、
転院先候補医療機関用情報端末は、
転院希望患者情報の閲覧操作、および受け入れ回答情報登録操作を含む各種操作を行なう操作手段と、
転院希望患者情報の表示を含む各種表示を行なう表示手段と、
転院希望患者の閲覧操作に従う転院支援装置に対する閲覧要求および返信された転院希望患者情報の表示手段への表示、ならびに受け入れ回答情報の登録操作に従う転院支援装置に対する受け入れ回答情報の登録要求を行なう処理手段と、
を含み、
転院支援装置は、
転院希望患者情報、受け入れ回答情報を転院希望患者毎に対応付けて蓄積する蓄積手段と、
転院元医療機関用情報端末から施設内患者識別情報を含む新規登録画面要求を受けると、同じ転院元医療機関に付属する電子カルテ装置から対応する患者情報を入手し、入手した患者情報を既入力とした新規登録画面を返信し、転院元医療機関用端末から登録要求を受けた転院希望患者情報を蓄積手段に蓄積させ、転院元医療機関用情報端末から閲覧要求を受けた受け入れ回答情報を蓄積手段から読み出し要求元に返信し、転院先候補医療機関用情報端末から閲覧要求を受けた転院希望患者情報を蓄積手段から読み出し要求元に返信し、転院先候補医療機関用情報端末から登録要求を受けた受け入れ回答情報を蓄積手段に蓄積させる処理手段と、
を含むこと、
を特徴とする転院支援システム。
【請求項２】
１または複数の転院元医療機関の各々で用いられる１または複数の転院元医療機関用情報端末、複数の転院先候補医療機関の各々で用いられる複数の転院先候補医療機関用情報端末、１または複数の転院元医療機関の各々で用いられる１または複数の電子カルテ装置、各転院元医療機関用情報端末、転院先候補医療機関用情報端末、および各電子カルテ装置とネットワークを介して接続された転院支援装置を含み、
各電子カルテ装置は、複数の患者毎に施設内患者識別情報に対応付けた氏名、生年月日、性別、症状、診療科、かかりつけ医、およびかかりつけ医療機関のうち少なくとも一つを含む患者情報を記憶し、外部からの読み出し要求に応じて記憶手段から患者情報を読み出し送信可能に構成されており、
転院元医療機関用情報端末は、
転院希望患者の施設内患者識別情報入力を含む転院希望患者の新規登録画面要求操作、転院先候補医療機関用情報端末で登録された受け入れ回答情報の閲覧操作、および転院先と転院日を含む受け入れ先決定情報の登録操作を含む各種操作を行なう操作手段と、
転院希望患者の新規登録画面の表示、および受け入れ回答情報の表示を含む各種表示を行なう表示手段と、
転院希望患者の施設内患者識別情報入力を含む新規登録画面要求操作に従う転院支援装置に対する新規登録画面要求、氏名、性別、年齢、症状、診療科、かかりつけ医、および転院希望日のうち少なくとも症状と転院希望日とを含む転院希望患者情報の登録操作に従う転院支援装置に対する登録要求、転院先候補医療機関の受け入れ回答情報の閲覧操作に従う転院支援装置に対する受け入れ回答情報の閲覧要求および返信された受け入れ回答情報の表示手段への表示、ならびに受け入れ先決定情報の登録操作に従う転院支援装置に対する登録要求を行なう処理手段と、
を含み、
転院先候補医療機関用情報端末は、
転院希望患者情報の閲覧操作、および受け入れ回答情報登録操作を含む各種操作を行なう操作手段と、
転院希望患者情報の表示を含む各種表示を行なう表示手段と、
転院希望患者の閲覧操作に従う転院支援装置に対する閲覧要求および返信された受け入れ決定情報付の転院希望患者情報の表示手段への表示、ならびに受け入れ回答情報の登録操作に従う転院支援装置に対する受け入れ回答情報の登録要求を行なう処理手段と、
を含み、
転院支援装置は、
転院希望患者情報、受け入れ回答情報、および受け入れ先決定情報を転院希望患者毎に対応付けて蓄積する蓄積手段と、
転院元医療機関用情報端末から施設内患者識別情報を含む新規登録画面要求を受けると、同じ転院元医療機関に付属する電子カルテ装置から対応する患者情報を入手し、入手した患者情報を既入力とした新規登録画面を返信し、転院元医療機関用端末から登録要求を受けた転院希望患者情報および受け入れ先決定情報を蓄積手段に蓄積させ、転院元医療機関用情報端末から閲覧要求を受けた受け入れ回答情報を蓄積手段から読み出し要求元に返信し、転院先候補医療機関用情報端末から閲覧要求を受けた転院希望患者情報を受け入れ決定情報とともに蓄積手段から読み出し要求元に返信し、転院先候補医療機関用情報端末から登録要求を受けた受け入れ回答情報を蓄積手段に蓄積させる処理手段と、
を含むこと、
を特徴とする転院支援システム。
【請求項３】
１または複数の転院元医療機関の各々で用いられる１または複数の転院元医療機関用情報端末、複数の転院先候補医療機関の各々で用いられる複数の転院先候補医療機関用情報端末、各転院元医療機関用情報端末、転院先候補医療機関用情報端末、および各電子カルテ装置とネットワークを介して接続された転院支援装置を含み、
転院元医療機関用情報端末は、
氏名、性別、年齢、症状、診療科、かかりつけ医、および転院希望日のうち少なくとも症状と転院希望日とを含む転院希望患者情報の登録操作、ならびに転院先候補医療機関用情報端末で登録された受け入れ回答情報の閲覧操作を含む各種操作を行なう操作手段と、
転院希望患者の新規登録画面の表示、および受け入れ回答情報の表示を含む各種表示を行なう表示手段と、
転院希望患者情報の登録操作に従う転院支援装置に対する登録要求、ならびに転院先候補医療機関の受け入れ回答情報の閲覧操作に従う転院支援装置に対する受け入れ回答情報の閲覧要求および返信された受け入れ回答情報の表示手段への表示を行う処理手段と、
を含み、
転院先候補医療機関用情報端末は、
転院希望患者情報の閲覧操作、および受け入れ回答情報登録操作を含む各種操作を行なう操作手段と、
転院希望患者情報の表示を含む各種表示を行なう表示手段と、
転院希望患者の閲覧操作に従う転院支援装置に対する閲覧要求および返信された転院希望患者情報の表示手段への表示、ならびに受け入れ回答情報の登録操作に従う転院支援装置に対する受け入れ回答情報の登録要求を行なう処理手段と、
を含み、
転院支援装置は、
転院希望患者情報、および受け入れ回答情報を転院希望患者毎に対応付けて蓄積する蓄積手段と、
転院元医療機関用情報端末と転院先候補医療機関用情報端末から登録要求を受けた転院希望患者情報、および受け入れ回答情報を蓄積手段に蓄積させ、転院元医療機関用情報端末から閲覧要求を受けた受け入れ回答情報を蓄積手段から読み出し要求元に返信し、転院先候補医療機関用情報端末から閲覧要求を受けた転院希望患者情報を蓄積手段から読み出し要求元に返信する処理手段と、
を含むこと、
を特徴とする転院支援システム。
【請求項４】
１または複数の転院元医療機関の各々で用いられる１または複数の転院元医療機関用情報端末、複数の転院先候補医療機関の各々で用いられる複数の転院先候補医療機関用情報端末、各転院元医療機関用情報端末、転院先候補医療機関用情報端末、および各電子カルテ装置とネットワークを介して接続された転院支援装置を含み、
転院元医療機関用情報端末は、
氏名、性別、年齢、症状、診療科、かかりつけ医、および転院希望日のうち少なくとも症状と転院希望日とを含む転院希望患者情報の登録操作、転院先候補医療機関用情報端末で登録された受け入れ回答情報の閲覧操作、ならびに転院先と転院日を含む受け入れ先決定情報の登録操作を含む各種操作を行なう操作手段と、
転院希望患者の新規登録画面の表示、および受け入れ回答情報の表示を含む各種表示を行なう表示手段と、
転院希望患者情報の登録操作に従う転院支援装置に対する登録要求、転院先候補医療機関の受け入れ回答情報の閲覧操作に従う転院支援装置に対する受け入れ回答情報の閲覧要求および返信された受け入れ回答情報の表示手段への表示、ならびに受け入れ先決定情報の登録操作に従う転院支援装置に対する登録要求を行なう処理手段と、
を含み、
転院先候補医療機関用情報端末は、
転院希望患者情報の閲覧操作、および受け入れ回答情報登録操作を含む各種操作を行なう操作手段と、
転院希望患者情報の表示を含む各種表示を行なう表示手段と、
転院希望患者の閲覧操作に従う転院支援装置に対する閲覧要求および返信された受け入れ決定情報付の転院希望患者情報の表示手段への表示、ならびに受け入れ回答情報の登録操作に従う転院支援装置に対する受け入れ回答情報の登録要求を行なう処理手段と、
を含み、
転院支援装置は、
転院希望患者情報、受け入れ回答情報、および受け入れ先決定情報を転院希望患者毎に対応付けて蓄積する蓄積手段と、
転院元医療機関用情報端末と転院先候補医療機関用情報端末から登録要求を受けた転院希望患者情報、受け入れ回答情報、および受け入れ先決定情報を蓄積手段に蓄積させ、転院元医療機関用情報端末から閲覧要求を受けた受け入れ回答情報を蓄積手段から読み出し要求元に返信し、転院先候補医療機関用情報端末から閲覧要求を受けた転院希望患者情報を受け入れ決定情報とともに蓄積手段から読み出し要求元に返信する処理手段と、
を含むこと、
を特徴とする転院支援システム。
【請求項５】
転院先候補医療機関用情報端末は、
転院希望患者の条件を絞り込んだ閲覧操作が可能であり、
転院支援装置の処理手段は、
絞り込み条件付の閲覧要求を受けると、転院希望患者情報を蓄積手段から条件に合致する転院希望患者情報を読み出し要求元に返信すること、
を特徴とする請求項１または３記載の転院支援システム。
【請求項６】
転院先候補医療機関用情報端末は、
転院希望患者の条件を絞り込んだ閲覧操作が可能であり、
転院支援装置の処理手段は、
絞り込み条件付の閲覧要求を受けると、転院希望患者情報を蓄積手段から条件に合致する転院希望患者情報を受け入れ決定情報とともに読み出し要求元に返信すること、
を特徴とする請求項２または４記載の転院支援システム。
【発明の詳細な説明】
【技術分野】
【０００１】
本発明は転院支援システムに関し、特に転院希望患者の転院先医療機関を探す手間を軽減可能な転院支援システムに関する。
【背景技術】
【０００２】
医療機関が他の医療機関に転院させたい患者がいるとき、個々の医療機関に順に当たって受け入れ可能な医療機関を探す必要があり、大変な手間が掛かるという問題がある。
【発明の概要】
【発明が解決しようとする課題】
【０００３】
本発明は、上記の事情に鑑みてなされたものであり、転院先の医療機関を探す手間を軽減可能な転院支援システムを提供することを目的とする。
【課題を解決するための手段】
【０００４】
上記目的は、下記の手段によって達成される。
【０００５】
転院支援システムは、１または複数の転院元医療機関の各々で用いられる１または複数の転院元医療機関用情報端末、複数の転院先候補医療機関の各々で用いられる複数の転院先候補医療機関用情報端末、１または複数の転院元医療機関の各々で用いられる１または複数の電子カルテ装置、各転院元医療機関用情報端末、転院先候補医療機関用情報端末、および各電子カルテ装置とネットワークを介して接続された転院支援装置を含む。各電子カルテ装置は、複数の患者毎に施設内患者識別情報に対応付けた氏名、生年月日、性別、症状、診療科、かかりつけ医、およびかかりつけ医療機関のうち少なくとも一つを含む患者情報を記憶し、外部からの読み出し要求に応じて記憶手段から患者情報を読み出し送信可能に構成される。転院元医療機関用情報端末は、転院希望患者の施設内患者識別情報入力を含む転院希望患者の新規登録画面要求操作、および転院先候補医療機関用情報端末で登録された受け入れ回答情報の閲覧操作を含む各種操作を行なう操作手段と、転院希望患者の新規登録画面の表示、および受け入れ回答情報の表示を含む各種表示を行なう表示手段と、転院希望患者の施設内患者識別情報入力を含む新規登録画面要求操作に従う転院支援装置に対する新規登録画面要求、氏名、性別、年齢、症状、診療科、かかりつけ医、および転院希望日のうち少なくとも症状と転院希望日とを含む転院希望患者情報の登録操作に従う転院支援装置に対する登録要求、ならびに転院先候補医療機関の受け入れ回答情報の閲覧操作に従う転院支援装置に対する受け入れ回答情報の閲覧要求および返信された受け入れ回答情報の表示手段への表示を行う処理手段と、を含む。転院先候補医療機関用情報端末は、転院希望患者情報の閲覧操作、および受け入れ回答情報登録操作を含む各種操作を行なう操作手段と、転院希望患者情報の表示を含む各種表示を行なう表示手段と、転院希望患者の閲覧操作に従う転院支援装置に対する閲覧要求および返信された転院希望患者情報の表示手段への表示、ならびに受け入れ回答情報の登録操作に従う転院支援装置に対する受け入れ回答情報の登録要求を行なう処理手段と、を含む。転院支援装置は、転院希望患者情報、受け入れ回答情報を転院希望患者毎に対応付けて蓄積する蓄積手段と、転院元医療機関用情報端末から施設内患者識別情報を含む新規登録画面要求を受けると、同じ転院元医療機関に付属する電子カルテ装置から対応する患者情報を入手し、入手した患者情報を既入力とした新規登録画面を返信し、転院元医療機関用端末から登録要求を受けた転院希望患者情報を蓄積手段に蓄積させ、転院元医療機関用情報端末から閲覧要求を受けた受け入れ回答情報を蓄積手段から読み出し要求元に返信し、転院先候補医療機関用情報端末から閲覧要求を受けた転院希望患者情報を蓄積手段から読み出し要求元に返信し、転院先候補医療機関用情報端末から登録要求を受けた受け入れ回答情報を蓄積手段に蓄積させる処理手段と、を含む。
【０００６】
転院支援システムは、１または複数の転院元医療機関の各々で用いられる１または複数の転院元医療機関用情報端末、複数の転院先候補医療機関の各々で用いられる複数の転院先候補医療機関用情報端末、１または複数の転院元医療機関の各々で用いられる１または複数の電子カルテ装置、各転院元医療機関用情報端末、転院先候補医療機関用情報端末、および各電子カルテ装置とネットワークを介して接続された転院支援装置を含む。各電子カルテ装置は、複数の患者毎に施設内患者識別情報に対応付けた氏名、生年月日、性別、症状、診療科、かかりつけ医、およびかかりつけ医療機関のうち少なくとも一つを含む患者情報を記憶し、外部からの読み出し要求に応じて記憶手段から患者情報を読み出し送信可能に構成される。転院元医療機関用情報端末は、転院希望患者の施設内患者識別情報入力を含む転院希望患者の新規登録画面要求操作、転院先候補医療機関用情報端末で登録された受け入れ回答情報の閲覧操作、および転院先と転院日を含む受け入れ先決定情報の登録操作を含む各種操作を行なう操作手段と、転院希望患者の新規登録画面の表示、および受け入れ回答情報の表示を含む各種表示を行なう表示手段と、転院希望患者の施設内患者識別情報入力を含む新規登録画面要求操作に従う転院支援装置に対する新規登録画面要求、氏名、性別、年齢、症状、診療科、かかりつけ医、および転院希望日のうち少なくとも症状と転院希望日とを含む転院希望患者情報の登録操作に従う転院支援装置に対する登録要求、転院先候補医療機関の受け入れ回答情報の閲覧操作に従う転院支援装置に対する受け入れ回答情報の閲覧要求および返信された受け入れ回答情報の表示手段への表示、ならびに受け入れ先決定情報の登録操作に従う転院支援装置に対する登録要求を行なう処理手段と、を含む。転院先候補医療機関用情報端末は、転院希望患者情報の閲覧操作、および受け入れ回答情報登録操作を含む各種操作を行なう操作手段と、転院希望患者情報の表示を含む各種表示を行なう表示手段と、転院希望患者の閲覧操作に従う転院支援装置に対する閲覧要求および返信された受け入れ決定情報付の転院希望患者情報の表示手段への表示、ならびに受け入れ回答情報の登録操作に従う転院支援装置に対する受け入れ回答情報の登録要求を行なう処理手段と、を含む。転院支援装置は、転院希望患者情報、受け入れ回答情報、および受け入れ先決定情報を転院希望患者毎に対応付けて蓄積する蓄積手段と、転院元医療機関用情報端末から施設内患者識別情報を含む新規登録画面要求を受けると、同じ転院元医療機関に付属する電子カルテ装置から対応する患者情報を入手し、入手した患者情報を既入力とした新規登録画面を返信し、転院元医療機関用端末から登録要求を受けた転院希望患者情報、および受け入れ先決定情報を蓄積手段に蓄積させ、転院元医療機関用情報端末から閲覧要求を受けた受け入れ回答情報を蓄積手段から読み出し要求元に返信し、転院先候補医療機関用情報端末から閲覧要求を受けた転院希望患者情報を受け入れ決定情報とともに蓄積手段から読み出し要求元に返信し、転院先候補医療機関用情報端末から登録要求を受けた受け入れ回答情報を蓄積手段に蓄積させる処理手段と、を含む。
【０００７】
転院支援システムは、１または複数の転院元医療機関の各々で用いられる１または複数の転院元医療機関用情報端末、複数の転院先候補医療機関の各々で用いられる複数の転院先候補医療機関用情報端末、各転院元医療機関用情報端末、転院先候補医療機関用情報端末、および各電子カルテ装置とネットワークを介して接続された転院支援装置を含む。転院元医療機関用情報端末は、氏名、性別、年齢、症状、診療科、かかりつけ医、および転院希望日のうち少なくとも症状と転院希望日とを含む転院希望患者情報の登録操作、ならびに転院先候補医療機関用情報端末で登録された受け入れ回答情報の閲覧操作を含む各種操作を行なう操作手段と、転院希望患者の新規登録画面の表示、および受け入れ回答情報の表示を含む各種表示を行なう表示手段と、転院希望患者情報の登録操作に従う転院支援装置に対する登録要求、ならびに転院先候補医療機関の受け入れ回答情報の閲覧操作に従う転院支援装置に対する受け入れ回答情報の閲覧要求および返信された受け入れ回答情報の表示手段への表示を行う処理手段と、を含む。転院先候補医療機関用情報端末は、転院希望患者情報の閲覧操作、および受け入れ回答情報登録操作を含む各種操作を行なう操作手段と、転院希望患者情報の表示を含む各種表示を行なう表示手段と、転院希望患者の閲覧操作に従う転院支援装置に対する閲覧要求および返信された転院希望患者情報の表示手段への表示、ならびに受け入れ回答情報の登録操作に従う転院支援装置に対する受け入れ回答情報の登録要求を行なう処理手段と、を含む。転院支援装置は、転院希望患者情報、および受け入れ回答情報を転院希望患者毎に対応付けて蓄積する蓄積手段と、転院元医療機関用情報端末と転院先候補医療機関用情報端末から登録要求を受けた転院希望患者情報、および受け入れ回答情報を蓄積手段に蓄積させ、転院元医療機関用情報端末から閲覧要求を受けた受け入れ回答情報を蓄積手段から読み出し要求元に返信し、転院先候補医療機関用情報端末から閲覧要求を受けた転院希望患者情報を蓄積手段から読み出し要求元に返信する処理手段と、を含む。
【０００８】
転院支援システムは、１または複数の転院元医療機関の各々で用いられる１または複数の転院元医療機関用情報端末、複数の転院先候補医療機関の各々で用いられる複数の転院先候補医療機関用情報端末、各転院元医療機関用情報端末、転院先候補医療機関用情報端末、および各電子カルテ装置とネットワークを介して接続された転院支援装置を含む。転院元医療機関用情報端末は、氏名、性別、年齢、症状、診療科、かかりつけ医、および転院希望日のうち少なくとも症状と転院希望日とを含む転院希望患者情報の登録操作、転院先候補医療機関用情報端末で登録された受け入れ回答情報の閲覧操作、ならびに転院先と転院日を含む受け入れ先決定情報の登録操作を含む各種操作を行なう操作手段と、転院希望患者の新規登録画面の表示、および受け入れ回答情報の表示を含む各種表示を行なう表示手段と、転院希望患者情報の登録操作に従う転院支援装置に対する登録要求、転院先候補医療機関の受け入れ回答情報の閲覧操作に従う転院支援装置に対する受け入れ回答情報の閲覧要求および返信された受け入れ回答情報の表示手段への表示、ならびに受け入れ先決定情報の登録操作に従う転院支援装置に対する登録要求を行なう処理手段と、を含む。転院先候補医療機関用情報端末は、転院希望患者情報の閲覧操作、および受け入れ回答情報登録操作を含む各種操作を行なう操作手段と、転院希望患者情報の表示を含む各種表示を行なう表示手段と、転院希望患者の閲覧操作に従う転院支援装置に対する閲覧要求および返信された受け入れ決定情報付の転院希望患者情報の表示手段への表示、ならびに受け入れ回答情報の登録操作に従う転院支援装置に対する受け入れ回答情報の登録要求を行なう処理手段と、を含む。転院支援装置は、転院希望患者情報、受け入れ回答情報、および受け入れ先決定情報を転院希望患者毎に対応付けて蓄積する蓄積手段と、転院元医療機関用情報端末と転院先候補医療機関用情報端末から登録要求を受けた転院希望患者情報、受け入れ回答情報、および受け入れ先決定情報を蓄積手段に蓄積させ、転院元医療機関用情報端末から閲覧要求を受けた受け入れ回答情報を蓄積手段から読み出し要求元に返信し、転院先候補医療機関用情報端末から閲覧要求を受けた転院希望患者情報を受け入れ決定情報とともに蓄積手段から読み出し要求元に返信する処理手段と、を含む。
【０００９】
転院先候補医療機関用情報端末は、転院希望患者の条件を絞り込んだ閲覧操作が可能であり、転院支援装置の処理手段は、絞り込み条件付の閲覧要求を受けると、転院希望患者情報を蓄積手段から条件に合致する転院希望患者情報を読み出し要求元に返信する。
【００１０】
転院先候補医療機関用情報端末は、転院希望患者の条件を絞り込んだ閲覧操作が可能であり、転院支援装置の処理手段は、絞り込み条件付の閲覧要求を受けると、転院希望患者情報を蓄積手段から条件に合致する転院希望患者情報を受け入れ決定情報とともに読み出し要求元に返信する。
【発明の効果】
【００１１】
本発明の転院支援システムによれば、転院元医療機関が転院希望患者情報を転院支援装置に登録しておくことにより、複数の転院先候補医療機関に転院希望患者情報を公開し、受け入れ回答情報を入手可能となるので、受け入れ先を探す手間が大幅に軽減する。
【図面の簡単な説明】
【００１２】
【図１】本発明の一実施形態に係る転院支援システムの構成図である。
【図２】図１中のパソコンの構成図である。
【図３】図１中の転院支援装置の蓄積手段に蓄積される情報の説明図である。
【図４】図１中の転院元医療機関用情報端末の動作を示すフローチャートである。
【図５】図１中の転院元医療機関用情報端末の動作を示すフローチャートである。
【図６】図１中の転院元医療機関用情報端末の動作を示すフローチャートである。
【図７】図１中の転院元医療機関用情報端末の動作を示すフローチャートである。
【図８】図１中の転院先医療機関用情報端末の動作を示すフローチャートである。
【図９】図１中の転院先医療機関用情報端末の動作を示すフローチャートである。
【図１０】図１中の転院支援装置の動作を示すフローチャートである。
【図１１】図１中の転院支援操作の動作を示すフローチャートである。
【図１２】図１中の転院支援操作の動作を示すフローチャートである。
【図１３】転院元医療機関用情報端末の画面表示例を示す説明図である。
【図１４】転院元医療機関用情報端末の画面表示例を示す説明図である。
【図１５】転院元医療機関用情報端末の画面表示例を示す説明図である。
【図１６】転院元医療機関用情報端末の画面表示例を示す説明図である。
【図１７】転院元医療機関用情報端末の画面表示例を示す説明図である。
【図１８】転院元医療機関用情報端末の画面表示例を示す説明図である。
【図１９】転院先医療機関用情報端末の画面表示例を示す説明図である。
【図２０】転院先医療機関用情報端末の画面表示例を示す説明図である。
【図２１】転院先医療機関用情報端末の画面表示例を示す説明図である。
【発明を実施するための形態】
【００１３】
以下、添付した図面を参照して、本発明の実施形態を説明する。
【００１４】
図１は本発明の一実施形態に係る転院支援システムの構成図である。
【００１５】
図１において、Ｘ１、Ｘ２、Ｘ３、・・は各々別の転院元医療機関を示し、各転院元医療機関Ｘ１、Ｘ２、Ｘ３、・・には転院元医療機関用情報端末の一例としてのパソコンＡ１、Ａ２、Ａ３、・・と、患者情報を蓄積し、外部からの読み出し要求に応じて患者情報を送信する機能を有するコンピュータシステムで構築された電子カルテ装置ＥＫ１、ＥＫ２、ＥＫ３、・・が備えられている。Ｙ１、Ｙ２、Ｙ３、・・は各々別の転院先候補医療機関を示し、各転院先候補医療機関Ｙ１、Ｙ２、Ｙ３、・・には転院先候補医療機関用情報端末の一例としてのパソコンＢ１、Ｂ２、Ｂ３、・・が備えられている。これらのパソコンＡ１、Ａ２、Ａ３、・・、電子カルテ装置ＥＫ１、ＥＫ２、ＥＫ３、・・、Ｂ１、Ｂ２、Ｂ３、・・はインターネット網１０を介して転院支援装置Ｚと接続されている。
【００１６】
図２（１）、（２）に示すように各パソコンＡｉ、Ｂｉ（ｉ＝１、２、３、・・）はプログラムを記憶した記憶手段１ａ、１ｂ、各種情報を表示する表示手段２ａ、２ｂ、キーボード、マウス等を含み、各種の登録操作、閲覧操作等を行う操作手段３ａ、３ｂ、外部の転院支援装置Ｚ等と各種情報を送受信する通信手段４ａ、４ｂ、記憶手段１に記憶されたプログラムに基づき、操作者の操作に従って各種の登録処理や閲覧処理を行う処理手段５ａ、５ｂを含む。
【００１７】
電子カルテ装置ＥＫ１、ＥＫ２、ＥＫ３、・・はプログラムと患者毎の患者情報を蓄積した記憶手段（図示せず）、外部と通信する通信手段（図示せず）、通信手段を介して外部から入力した読み出し要求に従い記憶手段から患者情報を読み出し通信手段を介して外部に送信する処理手段等を有している。患者情報には転院元医療機関Ｘｉの中だけで通用する患者識別情報の一例としての施設内患者ＩＤ、姓（カナ）と名（カナ）、生年月日、性別、症状、診療科、かかりつけ医師名、かかりつけ医療機関名等が含まれている。
【００１８】
転院支援装置Ｚはパソコン、サーバー等のコンビュータシステムで構築されており、転院元医療機関毎に分けて、転院希望患者一人ずつにつき、転院希望患者情報（全医療機関で共通して用いる患者共有ＩＤ、施設内患者ＩＤ、姓（カナ）と名（カナ）、生年月日、性別、症状、診療科、かかりつけ医師名、かかりつけ医療機関名、転院希望日）、転院先候補医療機関が回答した受け入れ可否を示す受け入れ回答情報、転院元医療機関が転院先候補医療機関と調整して受け入れ先と転院日を決定した内容を示す受け入れ決定情報等）を対応付けて蓄積する蓄積手段２０と、外部の転院元医療機関Ｘ１、Ｘ２、・・、転院先候補医療機関Ｙ１、Ｙ２、・・に備えられたパソコンＡ１、Ａ２、・・、Ｂ１、Ｂ２、・・からインターネット網１０および通信手段２１を介して受信した転院希望患者管理情報、受け入れ回答情報、受け入れ決定情報を蓄積手段２０に蓄積したり、蓄積手段２０から個別の転院希望患者情報（または個別の転院希望患者情報と受け入れ回答情報、転院決定情報を組み合わせた情報）を読み出して通信手段２１を介して送信したり、複数の転院希望患者情報（または複数の転院希望患者情報に受け入れ回答情報、転院決定情報を組み合わせた情報）を読み出し一覧にして通信手段２１を介して送信したりする処理手段２２を備えている。ここで、転院希望患者とは、ある医療機関において他の医療機関に転院させたい対象として位置付けられている患者を示す。
【００１９】
蓄積手段２０はハードディスク装置、ＳＳＤ装置等の大容量記憶装置から成り、図３に蓄積手段２０に蓄積される情報内容を示す。図３では、転院元医療機関Ｘ１、Ｘ２、Ｘ３、・・毎に分けて、個別の転院希望患者についての転院希望患者情報（患者共用ＩＤ、施設内患者ＩＤ、性（カナ）と名（カナ）、生年月日、性別、症状、診療科、かかりつけ医師名、かかりつけ医療機関名、転院希望日、転院希望患者に対する転院先候補医療機関Ｙ１、Ｙ２、Ｙ３、・・の受け入れ回答情報（受け入れの可否、受け入れ可の場合の受け入れ可能日、受け入れ予定病床の種類、連絡先）、転院元医療機関が転院先候補医療機関との間で調整して決定した受け入れ先決定情報（転院日、受け入れ先医療機関名））が対応付けて記憶される例を示す。
【００２０】
次に、図４乃至図２１を参照して上記した実施形態の動作を説明する。図４乃至図７は転院元医療機関Ｘ１、Ｘ２、Ｘ３、・・に備えられたパソコンＡ１、Ａ２、Ａ３、・・の処理手段５ａの動作を示すフローチャート、図８と図９は転院先候補医療機関Ｙ１、Ｙ２、Ｙ３、・・に備えられたパソコンＢ１、Ｂ２、Ｂ２、・・の処理手段５ｂの動作を示すフローチャート、図１０乃至図１２は転院支援装置Ｚの処理手段２２の動作を示すフローチャート、図１３乃至図１８は転院元医療機関Ｘ１、Ｘ２、Ｘ３、・・に備えられたパソコンＡ１、Ａ２、Ａ３、・・の表示手段２ａに表示される画面説明図、図１９乃至図２１は転院先候補医療機関Ｙ１、Ｙ２、Ｙ３、・・に備えられたパソコンＢ１、Ｂ２、Ｂ３、・・の表示手段２ｂに表示される画面説明図である。
【００２１】
（１）転院希望患者情報の登録
例えば、転院元医療機関Ｘ１のスタッフＣがある新規の転院希望患者の情報を複数の転院先候補医療機関Ｙ１、Ｙ２、Ｙ３、・・に公開し、受け入れ先を探したい場合、パソコンＡ１により外部の転院支援装置Ｚにログインする。転院支援装置Ｚの処理手段２２は通信手段２１を介して図１３のような転院元医療機関用の初期画面を返信し、表示手段２に表示させる（図４のステップＳ１０、図１０のＳ１１０乃至Ｓ１１２、図４のＳ１１）。スタッフＣが転院希望患者につき転院元医療機関内だけで用いている施設内患者ＩＤ（ここでは一例として００８８とする）を、操作手段４ａを用いて入力窓３０に入力し、新規登録ボタン３１を押して新規登録を選択すると、パソコンＡ１の処理手段５ａは転院元医療機関コードと施設内患者ＩＤを含む新規登録画面要求を、インターネット網１０を介して転院支援装置Ｚに送信させる（Ｓ１５）。
【００２２】
新規登録画面要求は通信手段２１で受信されて処理手段２２に入力される。処理手段２２は新規登録画面要求を受け、新規の転院希望患者につき各医療機関共通で用いるユニークな患者共有ＩＤ（ここでは１００００００とする）を生成し、通信手段２１を介して要求元医療機関Ｘ１の電子カルテ装置ＥＫ１に施設内患者ＩＤに対応する各種患者情報の読み出し要求をし、返信された患者情報を患者共有ＩＤとともに既入力とした新規登録画面を作成して、転院元医療機関Ｘ１のパソコンＡ１に返信する。パソコンＡ１の処理手段５ａは通信手段３ａを介して入力した新規登録画面を表示手段２ａに表示させる（図１０のＳ１１３乃至Ｓ１１５、Ｓ１６、図１４参照）。
【００２３】
スタッフＣは既入力な新規登録画面を見て施設内患者ＩＤ「００８８」に対応する患者情報に不足がある場合は、キーボード、マウスを用いて入力する。更に転院希望日を入力窓４９、５０に入力し、登録ボタン５１を押すと、パソコンＡ１の処理手段５ａは転院元医療機関コード（＝Ｘ１）と転院希望患者情報を含む新規登録要求を、インターネット網１０を経由して転院支援装置Ｚへ送信し、画面を図１２に戻す（図４のＳ１７乃至Ｓ２０）。
【００２４】
転院支援装置Ｚの処理手段２２は新規登録要求に基づき、蓄積手段２０の転院元医療機関Ｘ１の記憶部に、今回受信した転院希望患者情報を追加して蓄積する（図１０のＳ１１６、Ｓ１１７、図３参照）。
【００２５】
転院元医療機関Ｘ１において他の新規な転院希望患者が発生した場合も、同様にして転院支援装置Ｚに追加登録できる。
【００２６】
若し、スタッフＣがある既登録の転院希望患者情報の内、転院希望日等の登録内容を変更したい場合、図１３の画面において、入力窓３０に施設内患者ＩＤを入力し、登録事項表示／更新ボタン３２を押して登録事項の表示／更新を選択する。パソコンＡ１の処理手段５ａは転院元医療機関コードと施設内患者ＩＤを含む登録事項表示／更新画面要求を転院支援装置Ｚへ送信する（図５のＳ３０、Ｓ３１）。通信手段２１を介して当該要求を受けた処理手段２２は、蓄積手段２０から該当する転院希望患者情報を読み出して返信し、パソコンＡ１に表示させる（図１０のＳ１１８、Ｓ１１９、図５のＳ３２、図１５参照）。スタッフＣが修正したい項目を入力し直し、更新登録ボタン５２を押すと、パソコンＡ１の処理手段５ａは転院元医療機関コード（＝Ｘ１）と修正後の全ての転院希望患者情報を含む更新要求を、インターネット網１０を経由して転院支援装置Ｚへ送信させ、画面を図１３に戻す（図５のＳ３３乃至Ｓ３６）。
【００２７】
通信手段２１を介して当該要求を受けた処理手段２２は更新要求に基づき、蓄積手段２０に蓄積された同一の転院元医療機関、患者共有ＩＤ、施設内患者ＩＤに係る転院希望患者情報を書き換えて更新する（図１０のＳ１２０、Ｓ１２１）。
【００２８】
また、転院支援装置Ｚに既登録のある転院希望患者情報を削除したい場合、スタッフＣは図１３の画面において、入力窓３０に施設内患者ＩＤを入力し、削除ボタン３３を押し、登録事項の削除を選択する。パソコンＡ１の処理手段５ａは転院元医療機関コード（＝Ｘ１）と施設内患者ＩＤを含む削除要求を転院支援装置Ｚへ送信する（図５のＳ３７、Ｓ３８）。通信手段２１を介して当該要求を受けた処理手段２２は蓄積手段２０に蓄積された同一の転院元医療機関、施設内患者ＩＤに該当する転院希望患者情報を削除する（図１０のＳ１２２、Ｓ１２３）。
【００２９】
他の転院元医療機関Ｘ２、Ｘ３、・・のスタッフも同様にして、パソコンＡ２、Ａ３、・・を用いて転院希望患者情報の新規登録、更新、削除を行うことができる。
【００３０】
（２）転院希望患者情報の閲覧
例えば、転院先候補医療機関Ｙ１のスタッフＤがパソコンＢ１を用いて、転院元医療機関Ｘ１、Ｘ２、Ｘ３・・の転院希望患者情報を閲覧したい場合、パソコンＢ１により外部の転院支援装置Ｚにログインする。転院支援装置Ｚの処理手段２２は図１８のように転院先候補医療機関用の初期画面を返信する。パソコンＢ１の処理手段５ｂは通信手段４ｂを介して入力した初期画面を表示手段２ｂに表示させる（図８のＳ８０、図１０のＳ１１０、Ｓ１１１、図１２のＳ１４０、図８のＳ８１）。スタッフＤが所望の１または複数の転院元医療機関だけ閲覧したい場合、チェックボックス６１、６２、・・の中から所望の１または複数にチェックする。全ての転院元医療機関を閲覧したい場合、全ての転院元医療機関を選択するチェックボックス６０にチェックする。年齢を限定したい場合、入力窓７０に上限の生年月日、入力窓７１に下限の生年月日を入力する。男または女だけ閲覧したい場合はチェックボックス７２または７３にチェックし、男女どちらも閲覧したい場合はチェックボックス７４にチェックする。症状を限定したい場合は、骨折、喘息等の症状を入力窓７５に入力する。また、所望の１または複数の診療科だけ閲覧したい場合はチェックボックス８１、８２・・の中から所望の１または複数にチェックする。全ての診療科を閲覧したい場合、全ての診療科を選択するチェックボックス８０にチェックする。かかりつけ医を限定したい場合は入力窓９０に入力し、かかりつけ医療機関を限定したい場合は入力窓９１に入力する。転院希望日を限定したい場合は、入力窓９２に下限の年月日、入力窓９３に上限の年月日を入力する。
【００３１】
このようにして検索条件を入力後、閲覧ボタン１００を押すと、パソコンＢ１の処理手段５ｂは転院先候補医療機関のコードと検索条件情報を含む転院希望患者情報の閲覧要求を通信手段４ｂにより転院支援装置Ｚへ送信させる（図８のＳ８２乃至Ｓ８５）。通信手段２１を介して当該要求を受けた処理手段２２は蓄積手段２０から検索条件に合致する転院希望患者を抽出し、転院希望患者情報および受け入れ決定情報と、受け入れ決定情報が受け入れ決定済みを示していない場合の要求元の転院先候補医療機関Ｙ１の受け入れ回答情報の内、受け入れ希望／受け入れ不可の情報と受け入れ希望日、受け入れ不可理由の情報を組み合わせて一覧にした転院希望患者情報の一覧情報を作成し、要求元に返信し、画面表示させる（図１２のＳ１４１、Ｓ１４２、図８のＳ８６、図２０参照）。図２０はチェックボックス６０とチェックボックス８０だけチェックして閲覧ボタン１００を押した場合の例を示す。
【００３２】
スタッフＤは画面の表示から、検索条件に合致したどのような転院希望患者がいるかを一目で把握することができ、更に、受け入れ先が決定済みか否かと、スタッフＤの所属する医療機関Ｙ１が受け入れ回答したか否か、受け入れ回答していた場合の内容も把握できる。
【００３３】
なお、ＩＤまたは名前の分かっている特定の一人の転院希望患者だけ閲覧したい場合、図１９の画面において入力窓９４に患者共有ＩＤを入力するか、入力窓９５、９６に姓と名を入力し、閲覧ボタン１００を押せばよい。
【００３４】
（３）受け入れ回答情報の入力
スタッフＤが図２０の画面の内、例えば上から４行目のヨコハマハナコについて、受け入れ可能または受け入れ不能の回答をしたい場合、４行目をクリックして選択状態にし（４行目がハイライト表示または反転表示される）、回答入力ボタン１０１を押す。パソコンＢ１の処理手段５ｂは選択された転院希望患者の患者共用ＩＤを含む回答入力画面要求を転院支援装置Ｚへ送信させる（Ｓ８７、Ｓ８８）。通信手段２１を介して当該要求を受けた処理手段２２は蓄積手段２０から患者共有ＩＤに対応する転院希望患者に関する転院希望患者情報を読み出し、回答入力画面を作成し、要求元に返信し、画面表示させる（図１２のＳ１４３、Ｓ１４４、図８のＳ８９、図２１参照）。
【００３５】
スタッフＤは、画面から氏名、生年月日、性別、症状、診療科、かかりつけ医、転院希望日等を確認し、受け入れ希望であれば、受け入れ可のチェックボックス１１０にチェックし、受け入れ予定病床の種類（一般、療養型等）をプルダウンメニュー１１１から選択して入力するとともに、入力窓１１２、１１３に受け入れ可能日を入力する。そして、連絡先の入力窓１１４、１１５に氏名と電話番号を入力し、回答送信ボタン１２０を押す。若し、受け入れ不可であれば、受け入れ不可のチェックボックス１１６にチェックし、受け入れ不可の理由（例えば、満床、医師休診等）をプルダウンメニュー１１７から選択して入力し、回答送信ボタン１２０を押す。パソコンＢ１の処理手段５ｂは入力された回答を転院支援装置Ｚへ送信させ、画面を図２０に戻す（図９のＳ１００乃至Ｓ１０３）。
【００３６】
通信手段２１を介して回答を受けた処理手段２２は蓄積手段２０に患者共有ＩＤに対応付けて転院先候補医療機関Ｙ１の回答として書き込み、登録する（図１２のＳ１４５、Ｓ１４６）。他の転院希望患者に対しても同様に受け入れ回答情報を登録できる。他の転院先候補医療機関についても全く同様にして、所望の転院元医療機関、所望の診療科の転院希望患者情報の閲覧、受け入れ回答情報の登録ができる。
【００３７】
（４）受け入れ回答情報の閲覧
例えば、転院元医療機関Ｘ１のスタッフＣがパソコンＡ１を用いて、転院先候補医療機関Ｙ１、Ｙ２、Ｙ３、・・の受け入れ回答情報を閲覧したい場合、パソコンＡ１により外部の転院支援装置Ｚにログインする。転院支援装置Ｚの処理手段２２は図１３のように初期画面を返信し、パソコンＡ１に表示させる。スタッフＣが全転院希望患者の受け入れ回答情報の一覧を閲覧したい場合、チェックボックス３４にチェックし、閲覧ボタン３５を押すと、パソコンＡ１の処理手段５ａは受け入れ回答情報の一覧要求を転院支援装置Ｚへ送信させる（図７のＳ６０、Ｓ６１）。通信手段２１を介して当該要求を受けた処理手段２２は蓄積手段２０から要求元の転院元医療機関Ｘ１について蓄積された全ての転院希望患者に関する転院希望患者情報、受け入れ回答情報、受け入れ決定情報を組み合わせた受け入れ回答一覧情報を作成し、要求元に返信し、画面表示させる（図１０のＳ１２４、Ｓ１２５、図７のＳ６２、図１６参照）。
【００３８】
スタッフＣは画面の表示から、各転院先候補医療機関Ｙ１、Ｙ２、Ｙ３、・・がどの転院希望患者を受け入れ可能かまたは不能か、一目で把握できる。
【００３９】
（５）転院の調整と受け入れ決定情報の入力
例えば上から４行目のヨコハマハナコについて、転院先候補医療機関Ｙ１に受け入れを希望する場合、該当するマス目（上から４行目、左から４列目のマス目）内をクリックして選択状態にし（該当するマス目がハイライト表示または反転表示される）、転院設定ボタン１２０を押す。パソコンＡ１の処理手段５ａは選択された転院希望患者の患者共有ＩＤを含む受け入れ決定情報入力画面要求を転院支援装置Ｚへ送信させる（図７のＳ６３乃至Ｓ６４）。通信手段２１を介して当該要求を受けた処理手段２２は蓄積手段２０から患者共有ＩＤに対応する転院希望患者に関する転院希望患者情報、受け入れ回答情報を読み出して受け入れ決定情報入力画面を作成し、要求元に返信し、画面表示させる（図１０のＳ１２６、Ｓ１２７、図７のＳ６５、図１７参照）。
【００４０】
スタッフＣは、画面から転院可能日、受け入れ予定病床の種類等を確認し、受け入れ先として決定希望であれば、連絡先として表示された相手のスタッフと電話等で受け入れ調整する。受け入れ調整が成立した場合、スタッフＣは、転院日の入力窓１３０に転院日を入力し、プルダウンメニュー１３１から転院先の医療機関を選択入力し、登録ボタン１３２を押す。パソコンＡ１の処理手段５ａは患者共有ＩＤと入力された受け入れ決定情報を転院支援装置Ｚへ送信させ、画面を図１６に戻す（図７のＳ６６乃至Ｓ６９）。通信手段２１を介して受け入れ決定情報を入力した処理手段２２は、受け入れ決定情報を患者共有ＩＤと対応付けて蓄積手段２０に登録する（図１０のＳ１２８、Ｓ１２９）。
【００４１】
他の転院希望患者に対しても同様に受け入れ決定情報を登録できる。
【００４２】
他の転院元医療機関も全く同様にして、受け入れ回答情報の一覧を閲覧したり、所望の転院希望患者について受け入れ調整と、受け入れ決定情報の登録をしたりすることが可能である。なお、受け入れ調整が成立しない場合、図１７の画面で戻るボタン１３３を押すと、パソコンＡ１の処理手段５ａは元の図１６の一覧画面に戻すので（図７のＳ７０）、他の受け入れ可能な転院先候補医療機関と受け入れ調整をすればよい。
【００４３】
（６）個別の転院希望患者の受け入れ回答情報の閲覧、受け入れ決定情報の入力
例えば、転院元医療機関Ｘ１のスタッフＣがパソコンＡ１を用いて、ある特定の転院希望患者についての受け入れ回答情報を閲覧したい場合、ログイン後の図１３の画面で、チェックボックス３６にチェックし、所望患者の施設内患者ＩＤを入力窓３７に入力し、閲覧ボタン３８を押すと、パソコンＡ１の処理手段５ａは施設内患者ＩＤを含む個別の転院希望患者の受け入れ回答情報の閲覧要求を転院支援装置Ｚへ送信させる（図６のＳ４０乃至Ｓ４３）。通信手段２１を介して当該要求を受けた処理手段２２は蓄積手段２０から施設内患者ＩＤの転院希望患者について蓄積された転院希望患者情報、受け入れ回答情報、受け入れ決定情報を組み合わせて受け入れ回答情報閲覧画面を作成し、要求元に返信して表示させる（図１１のＳ１３０、Ｓ１３１、図６のＳ４４、図１８参照）。
【００４４】
スタッフＣは画面の表示から、所望の転院希望患者につきどの転院先候補医療機関が受け入れ可能かまたは不能か、一目で把握できる。
【００４５】
例えば１つ目の転院先候補医療機関Ｙ１に受け入れを希望する場合、該当するマス目内をクリックして選択状態にし（該当するマス目がハイライト表示または反転表示される）、転院設定ボタン１４０を押すと、パソコンＡの処理手段５ａは図１７の受け入れ決定情報入力画面を表示させるので（図７のＳ６３、Ｓ６４、図１１のＳ１３２、Ｓ１３３、図７のＳ６５）、前述と同様にして受け入れ調整後、受け入れ決定情報を入力し、登録すればよい（図７のＳ６６乃至Ｓ６９、図１１のＳ１３４、Ｓ１３５）。
【００４６】
転院元医療機関が登録した受け入れ決定情報は、転院先候補医療機関が転院希望患者情報を閲覧したときに表示されるので、受け入れ決定済みか否か、一目で把握することができ、無駄な回答入力をしなくて済む。
【００４７】
この実施形態によれば、ある転院元医療機関Ｘｉのスタッフが外部の複数の転院先候補医療機関Ｙ１、Ｙ２、Ｙ３、・・との間である転院希望患者の転院調整をしたい場合、パソコンＡｉを用いて転院希望患者情報と転院希望日を転院支援装置Ｚに登録すれば、複数の転院先候補医療機関Ｙ１、Ｙ２、Ｙ３、・・のスタッフがパソコンＢ１、Ｂ２、Ｂ３、・・を用いて転院支援装置Ｚから転院希望患者情報と転院希望日を入手し、閲覧可能となるので、各転院先候補医療機関Ｙ１、Ｙ２、Ｙ３、・・に個々に電話等で転院希望患者の存在を連絡する手間が省ける。
【００４８】
また、転院元医療機関Ｘｉのスタッフが新規の転院希望患者情報を登録する際、パソコンＡｉにより施設内患者ＩＤを入力して新規登録画面の要求をすると、転院支援装置Ｚが転院元医療機関Ｘｉの電子カルテ装置ＥＫｉから施設内患者ＩＤに対応付けて記憶された名前、生年月日、性別、症状、診療科、かかりつけ医、かかりつけ医療機関等の患者情報を入手し、これらの情報を自動で既入力とした新規登録画面を返信するので、スタッフによる新規登録操作の手間が軽減する。
【００４９】
また、転院希望患者情報と転院希望日を閲覧した転院先候補医療機関Ｙ１、Ｙ２、Ｙ３、・・のスタッフが受け入れ可否を示す受け入れ回答をしたい場合、パソコンＢ１、Ｂ２、Ｂ３、・・を用いて受け入れ回答情報を転院支援装置Ｚに登録すれば、転院元医療機関ＸｉのスタッフがパソコンＡｉを用いて受け入れ回答情報を入手し、閲覧可能となるので、各転院先候補医療機関Ｙ１、Ｙ２、Ｙ３、・・に個々に電話等で受け入れの可否を問い合わせる手間が省ける。
【００５０】
また、受け入れ回答情報に転院先候補医療機関の連絡先が含まれているので、受け入れ可能な転院先候補医療機関のスタッフと迅速に転院調整の打ち合わせを行うことができる。
【００５１】
また、転院調整後、転院元医療機関ＸｉのスタッフがパソコンＡｉに転院先と転院日を含む受け入れ先決定情報を転院支援装置Ｚに転院希望患者情報に対応付けて登録すると、転院先候補医療機関Ｙ１、Ｙ２、Ｙ３、・・が転院希望患者情報を閲覧する際、受け入れ先決定情報付の転院希望患者情報が表示されるので、受け入れ先が未決定の患者を容易に把握できる。
【００５２】
また、各転院先候補医療機関Ｙ１、Ｙ２、Ｙ３・・は、転院希望患者情報の閲覧をする際、転院元医療機関、年齢、性別、症状、診療科、かかりつけ医、かかりつけ医療機関、転院希望日等を任意に組み合わせた条件で絞り込むことができ、必要な転院希望患者情報を効率的に閲覧可能である。また、患者共有ＩＤまたは名前で特定した一人の転院希望患者情報だけ閲覧することも可能である。
【００５３】
なお、上記の実施形態では、パソコンＡｉにより施設内患者ＩＤを入力した新規登録画面の要求をすると、転院支援装置Ｚが転院元医療機関Ｘｉの電子カルテ装置ＥＫｉから施設内患者ＩＤに対応付けて記憶された名前、生年月日、性別、症状、診療科、かかりつけ医、かかりつけ医療機関等の患者情報を入手し、これらの情報を自動で既入力とした新規登録画面を返信するようにしたが、転院支援装置Ｚは単に患者共有ＩＤだけ既入力とした新規登録画面を返信し、パソコンＡｉの側で電子カルテ装置Ｚにアクセスして患者情報を入手し、新規登録画面に自動で既入力とするか、または、スタッフが自ら手入力するようにしてもよい。
【００５４】
また、施設内患者識別情報は、施設内患者ＩＤのほか、氏名等個人を特定する他の種類の情報としてもよい。
【産業上の利用可能性】
【００５５】
本発明は、１または複数の転院元医療機関と複数の転院先候補医療機関の間で、転院業務を効率的に実行したい場合に適用可能である。
【符号の説明】
【００５６】
１０  インターネット網
２０  蓄積手段
２２  処理手段
Ｘ１、Ｘ２、Ｘ３、・・  転院元医療機関
Ａ１、Ａ２、Ａ３、・・、Ｂ１、Ｂ２、Ｂ３、・・  パソコン
ＥＫ１、ＥＫ２、ＥＫ３、・・  電子カルテ装置
Ｙ１、Ｙ２、Ｙ３、・・  転院先候補医療機関
Ｚ  転院支援装置
【図１】
2018116652.tif 000003
【図２】
2018116652.tif 000004
【図３】
2018116652.tif 000005
【図４】
2018116652.tif 000006
【図５】
2018116652.tif 000007
【図６】
2018116652.tif 000008
【図７】
2018116652.tif 000009
【図８】
2018116652.tif 000010
【図９】
2018116652.tif 000011
【図１０】
2018116652.tif 000012
【図１１】
2018116652.tif 000013
【図１２】
2018116652.tif 000014
【図１３】
2018116652.tif 000015
【図１４】
2018116652.tif 000016
【図１５】
2018116652.tif 000017
【図１６】
2018116652.tif 000018
【図１７】
2018116652.tif 000019
【図１８】
2018116652.tif 000020
【図１９】
2018116652.tif 000021
【図２０】
2018116652.tif 000022
【図２１】
2018116652.tif 000023